(57)【要約】【課題】  ＷＡＮ回線障害発生時のＶｏＩＰの音声品質劣化の回避及びＷＡＮ回線障害未発生時の帯域の有効活用を実現可能なＶｏＩＰゲートウェイ装置を提供する。【解決手段】  ＶｏＩＰゲートウェイ装置（２）は、複数のＷＡＮ回線を使用して帯域確保及び負荷分散を行うルータ装置を上位に位置付けたデータ通信システムに用いられる。また、ＶｏＩＰゲートウェイ装置（２）は、ルータ装置におけるＷＡＮ回線の状態を取得する取得手段（通知信号インタフェース部２１）と、ＷＡＮ回線の状態に合わせてＶｏＩＰ接続を制御する制御手段（接続判定処理部２２）とを有する。【選択図】      図２
2010141449.tif 000002
【特許請求の範囲】
【請求項１】
複数のＷＡＮ（Ｗｉｄｅ  Ａｒｅａ  Ｎｅｔｗｏｒｋ）回線を使用して帯域確保及び負荷分散を行うルータ装置を上位に位置付けたデータ通信システムに用いられるＶｏＩＰ（Ｖｏｉｃｅ  ｏｖｅｒ  Ｉｎｔｅｒｎｅｔ  Ｐｒｏｔｏｃｏｌ）ゲートウェイ装置であって、
前記ルータ装置におけるＷＡＮ回線の状態を取得する取得手段と、前記ＷＡＮ回線の状態に合わせてＶｏＩＰ接続を制御する制御手段とを有することを特徴とするＶｏＩＰゲートウェイ装置。
【請求項２】
前記制御手段は、前記ＷＡＮ回線の状態毎に予め設定されたＶｏＩＰ同時接続可能数を上限に前記ＶｏＩＰ接続を制御することを特徴とする請求項１記載のＶｏＩＰゲートウェイ装置。
【請求項３】
前記制御手段は、前記ＷＡＮ回線の障害発生または未発生の状況に応じて予め設定されたＶｏＩＰ同時接続可能数を上限に前記ＶｏＩＰ接続を制御することを特徴とする請求項２記載のＶｏＩＰゲートウェイ装置。
【請求項４】
前記取得手段は、前記ルータ装置から通知されかつ前記ルータ装置における前記ＷＡＮ回線の障害発生の監視結果を前記ＷＡＮ回線の状態として取得することを特徴とする請求項３記載のＶｏＩＰゲートウェイ装置。
【請求項５】
前記取得手段は、前記ルータ装置との間の通知信号線を通して前記監視結果を受け取ることを特徴とする請求項４記載のＶｏＩＰゲートウェイ装置。
【請求項６】
前記取得手段は、前記ルータ装置との間のＬＡＮ（Ｌｏｃａｌ  Ａｒｅａ  Ｎｅｔｗｏｒｋ）回線を通して前記監視結果を受け取ることを特徴とする請求項４記載のＶｏＩＰゲートウェイ装置。
【請求項７】
他のＶｏＩＰゲートウェイ装置が前記ＬＡＮ回線を介して前記ルータ装置に接続する構成において、自装置がマスタとして動作する場合に全体のＶｏＩＰ同時接続数を管理することを特徴とする請求項６記載のＶｏＩＰゲートウェイ装置。
【請求項８】
前記制御手段は、前記ＶｏＩＰ同時接続可能数の超過により前記ＶｏＩＰ接続が不可となった場合に電話回線を使用して一般の電話サービスとして発呼することを特徴とする請求項２から請求項７のいずれか記載のＶｏＩＰゲートウェイ装置。
【請求項９】
上記の請求項１から請求項８のいずれかに記載のＶｏＩＰゲートウェイ装置を含むことを特徴とするデータ通信システム。
【請求項１０】
複数のＷＡＮ（Ｗｉｄｅ  Ａｒｅａ  Ｎｅｔｗｏｒｋ）回線を使用して帯域確保及び負荷分散を行うルータ装置を上位に位置付けたデータ通信システム内のＶｏＩＰ（Ｖｏｉｃｅ  ｏｖｅｒ  Ｉｎｔｅｒｎｅｔ  Ｐｒｏｔｏｃｏｌ）ゲートウェイ装置に用いられるＶｏＩＰ接続制御方法であって、
前記ルータ装置におけるＷＡＮ回線の状態を取得する取得処理と、前記ＷＡＮ回線の状態に合わせてＶｏＩＰ接続を制御する制御処理とを有することを特徴とするＶｏＩＰ接続制御方法。
【請求項１１】
前記制御処理において、前記ＷＡＮ回線の状態毎に予め設定されたＶｏＩＰ同時接続可能数を上限に前記ＶｏＩＰ接続を制御することを特徴とする請求項１０記載のＶｏＩＰ接続制御方法。
【請求項１２】
前記制御処理において、前記ＷＡＮ回線の障害発生または未発生の状況に応じて予め設定されたＶｏＩＰ同時接続可能数を上限に前記ＶｏＩＰ接続を制御することを特徴とする請求項１１記載のＶｏＩＰ接続制御方法。
【請求項１３】
前記取得処理において、前記ルータ装置から通知されかつ前記ルータ装置における前記ＷＡＮ回線の障害発生の監視結果を前記ＷＡＮ回線の状態として取得することを特徴とする請求項１２記載のＶｏＩＰ接続制御方法。
【請求項１４】
前記取得処理において、前記ルータ装置との間の通知信号線を通して前記監視結果を受け取ることを特徴とする請求項１３記載のＶｏＩＰ接続制御方法。
【請求項１５】
前記取得処理において、前記ルータ装置との間のＬＡＮ（Ｌｏｃａｌ  Ａｒｅａ  Ｎｅｔｗｏｒｋ）回線を通して前記監視結果を受け取ることを特徴とする請求項１３記載のＶｏＩＰ接続制御方法。
【請求項１６】
複数のＶｏＩＰゲートウェイ装置が前記ＬＡＮ回線を介して前記ルータ装置に接続する構成において、マスタとして動作するＶｏＩＰゲートウェイ装置が全体のＶｏＩＰ同時接続数を管理することを特徴とする請求項１５記載のＶｏＩＰ接続制御方法。
【請求項１７】
前記制御処理において、前記ＶｏＩＰ同時接続可能数の超過により前記ＶｏＩＰ接続が不可となった場合に電話回線を使用して一般の電話サービスとして発呼することを特徴とする請求項１１から請求項１６のいずれか記載のＶｏＩＰ接続制御方法。
【発明の詳細な説明】
【技術分野】
【０００１】
本発明はＶｏＩＰゲートウェイ装置、データ通信システム及びそれらに用いるＶｏＩＰ接続制御方法に関し、特に回線状況に合わせたＶｏＩＰ（Ｖｏｉｃｅ  ｏｖｅｒ  Ｉｎｔｅｒｎｅｔ  Ｐｒｏｔｏｃｏｌ）接続制御に関する。
【背景技術】
【０００２】
本発明に関連するＶｏＩＰ接続制御では、同時に複数のＶｏＩＰ接続で使用する帯域がＷＡＮ（Ｗｉｄｅ  Ａｒｅａ  Ｎｅｔｗｏｒｋ）回線の帯域を超える場合、ＶｏＩＰの音声品質が劣化するため、システムとしてのＶｏＩＰ同時接続可能数を固定化している（例えば、特許文献１参照）。
【特許文献１】特開２００５−１８４３５１号公報
【発明の開示】
【発明が解決しようとする課題】
【０００３】
しかしながら、上述した本発明に関連するＶｏＩＰ接続制御では、ＷＡＮ回線障害によりＶｏＩＰに使用できる帯域が減るため、ＷＡＮ回線障害未発生を前提としたＶｏＩＰ同時接続可能数の設定では、ＶｏＩＰの音声品質が劣化することが起こり得るという課題がある。
【０００４】
また、本発明に関連するＶｏＩＰ接続制御では、ＷＡＮ回線障害発生を前提としたＶｏＩＰ同時接続可能数の設定では、ＷＡＮ回線の帯域に余裕があるのに、ＶｏＩＰ接続しないことがあり、帯域の有効活用が行えないという課題がある。
【０００５】
さらに、本発明に関連するＶｏＩＰ接続制御では、ＶｏＩＰの音声品質の劣化が起こらない場合においても、ＶｏＩＰデータが帯域を占有することにより、ＶｏＩＰ以外のデータ通信ができなくなるという課題がある。
【０００６】
同時に複数のＶｏＩＰ接続で使用する帯域がＷＡＮ回線の帯域を超える場合、ＶｏＩＰの音声品質は劣化する。ルータのように、複数のＷＡＮ回線を使用して帯域を増やしている場合、ＷＡＮ回線障害によりＶｏＩＰに使用できる帯域が減るため、ＷＡＮ回線障害未発生を前提としたＶｏＩＰ同時接続可能数の設定では、ＶｏＩＰの音声品質が劣化することが起こり得る。
【０００７】
また、ＷＡＮ回線障害発生を前提としたＶｏＩＰ同時接続可能数の設定では、ＷＡＮ回線の帯域に余裕があるのに、ＶｏＩＰ接続しないことがあり、帯域の有効活用が行えない。
【０００８】
さらに、ＶｏＩＰの音声品質の劣化が起こらない場合においても、ＶｏＩＰデータが帯域を占有することにより、ＶｏＩＰ以外のデータ通信ができなくなることがある。
【０００９】
そこで、本発明の目的は上記の問題点を解消し、ＷＡＮ回線障害発生時のＶｏＩＰの音声品質劣化の回避及びＷＡＮ回線障害未発生時の帯域の有効活用を実現することができるＶｏＩＰゲートウェイ装置、データ通信システム及びそれらに用いるＶｏＩＰ接続制御方法を提供することにある。
【課題を解決するための手段】
【００１０】
本発明によるＶｏＩＰゲートウェイ装置は、複数のＷＡＮ（Ｗｉｄｅ  Ａｒｅａ  Ｎｅｔｗｏｒｋ）回線を使用して帯域確保及び負荷分散を行うルータ装置を上位に位置付けたデータ通信システムに用いられるＶｏＩＰ（Ｖｏｉｃｅ  ｏｖｅｒ  Ｉｎｔｅｒｎｅｔ  Ｐｒｏｔｏｃｏｌ）ゲートウェイ装置であって、
前記ルータ装置におけるＷＡＮ回線の状態を取得する取得手段と、前記ＷＡＮ回線の状態に合わせてＶｏＩＰ接続を制御する制御手段とを備えている。
【００１１】
本発明によるデータ通信システムは、上記のＶｏＩＰゲートウェイ装置を含むことを特徴とする。
【００１２】
本発明によるＶｏＩＰ接続制御方法は、複数のＷＡＮ（Ｗｉｄｅ  Ａｒｅａ  Ｎｅｔｗｏｒｋ）回線を使用して帯域確保及び負荷分散を行うルータ装置を上位に位置付けたデータ通信システム内のＶｏＩＰ（Ｖｏｉｃｅ  ｏｖｅｒ  Ｉｎｔｅｒｎｅｔ  Ｐｒｏｔｏｃｏｌ）ゲートウェイ装置に用いられるＶｏＩＰ接続制御方法であって、
前記ルータ装置におけるＷＡＮ回線の状態を取得する取得処理と、前記ＷＡＮ回線の状態に合わせてＶｏＩＰ接続を制御する制御処理とを備えている。
【発明の効果】
【００１３】
本発明は、上記のような構成及び動作とすることで、ＷＡＮ回線障害発生時のＶｏＩＰの音声品質劣化の回避及びＷＡＮ回線障害未発生時の帯域の有効活用を実現することができるという効果が得られる。
【発明を実施するための最良の形態】
【００１４】
次に、本発明の実施の形態について図面を参照して説明する。まず、本発明によるＶｏＩＰ（Ｖｏｉｃｅ  ｏｖｅｒ  Ｉｎｔｅｒｎｅｔ  Ｐｒｏｔｏｃｏｌ）ゲートウェイ装置の概要について説明する。本発明によるＶｏＩＰゲートウェイ装置は、複数のＷＡＮ（Ｗｉｄｅ  Ａｒｅａ  Ｎｅｔｗｏｒｋ）回線を使用して帯域確保及び負荷分散を行うルータ装置を上位に位置付けたデータ通信システムに用いている。
【００１５】
本発明によるＶｏＩＰゲートウェイ装置は、上位に位置付けたルータ装置におけるＷＡＮ回線障害の監視状況に合わせてＶｏＩＰ接続を制御することを特徴としている。
【００１６】
ルータ装置は、ＷＡＮ回線障害を監視し、ＷＡＮ回線障害発生を検出した場合にＶｏＩＰゲートウェイ装置にＷＡＮ回線障害を通知する。ＶｏＩＰゲートウェイ装置は、予めＶｏＩＰ同時接続可能数を設定し、設定数を上限にＶｏＩＰ接続を制御する。また、ＶｏＩＰゲートウェイ装置は、ＷＡＮ回線障害発生または未発生の状況に応じて、ＶｏＩＰ同時接続可能数の決定及びＶｏＩＰ接続を制御する。
【００１７】
本発明は、ＶｏＩＰゲートウェイ装置に、ＷＡＮ回線障害未発生の場合のＶｏＩＰ同時接続数をｘ呼、ＷＡＮ回線障害発生の場合のＶｏＩＰ同時接続数をｙ呼というように状況に合わせた複数のＶｏＩＰ同時接続可能数を予め設定する。
【００１８】
また、ルータ装置は、ＷＡＮ回線障害を監視し、ＷＡＮ回線障害発生を検出した場合に通知信号線を使用してＷＡＮ回線障害発生中をＶｏＩＰゲートウェイ装置へ通知する。ＶｏＩＰゲートウェイ装置は、新規発着呼が出てきた時に通知信号線からの通知状態を確認し、現在のＶｏＩＰ同時接続可能数を決定する。
【００１９】
ここで、通知信号線の通知状態がＷＡＮ回線障害未発生を示す場合は、現在のＶｏＩＰ同時接続数がｘ呼未満であれば、新規発着呼をＶｏＩＰ接続し、ｘ呼以上であれば、新規発着呼をＶｏＩＰ接続しない。
【００２０】
また、通知信号線の通知状態がＷＡＮ回線障害発生を示す場合は、現在のＶｏＩＰ同時接続数がｙ呼未満であれば、新規発着呼をＶｏＩＰ接続し、ｙ呼以上であれば、新規発着呼をＶｏＩＰ接続しない。
【００２１】
このように、本発明は、ＷＡＮ回線障害状況に合わせてＶｏＩＰ同時接続可能数を変化させることにより、ＷＡＮ回線障害発生時のＶｏＩＰの音声品質劣化の回避及びＷＡＮ回線障害未発生時の帯域の有効活用を実現することができる。また、本発明は、ＶｏＩＰデータの帯域占有を抑制することで、ＶｏＩＰ以外のデータ通信ができなくなることを回避することができる。
【００２２】
ここで、ＶｏＩＰゲートウェイ装置は、一般的に、ＶｏＩＰ処理を実施可能な、ＩＴＵ−Ｔ（Ｉｎｔｅｒｎａｔｉｏｎａｌ  Ｔｅｌｅｃｏｍｍｕｎｉｃａｔｉｏｎｓ  Ｕｎｉｏｎ−Ｔｅｌｅｃｏｍｍｕｎｉｃａｔｉｏｎ  Ｓｔａｎｄａｒｄｉｚａｔｉｏｎ  Ｓｅｃｔｏｒ）  Ｈ３２３、ＳＩＰ（Ｓｅｓｓｉｏｎ  Ｉｎｉｔｉａｔｉｏｎ  Ｐｒｏｔｏｃｏｌ）、Ｍｅｇａｃｏ（Ｍｅｄｉａ  ｇａｔｅｗａｙ  ｃｏｎｔｒｏｌ）、ＭＧＣＰ（Ｍｅｄｉａ  Ｇａｔｅｗａｙ  Ｃｏｎｔｒｏｌ  Ｐｒｏｔｏｃｏｌ）等のプロトコルを利用することができる。
【００２３】
また、ＶｏＩＰゲートウェイ装置は、ＬＡＮ（Ｌｏｃａｌ  Ａｒｅａ  Ｎｅｔｗｏｒｋ）を介してルータ装置と接続され、また音声回線を通して電話機やＰＢＸ（Ｐｒｉｖａｔｅ  Ｂｒａｎｃｈ  ｅＸｃｈａｎｇｅ）と接続される。
【００２４】
ルータ装置からＶｏＩＰゲートウェイ装置に送信されるデータは、ＶｏＩＰデータであり、一般のメール等のパケットデータは、ルータ装置で切り分けられており含まれない。また、ＶｏＩＰゲートウェイ装置からルータ装置へ送信するデータは、ＶｏＩＰデータのみである。
【００２５】
ＶｏＩＰゲートウェイ装置は、上記のプロトコルで利用されるゲートキーパやコールエージェント等と呼ばれるいわゆるＶｏＩＰサーバを利用して、ＩＰ（Ｉｎｔｅｒｎｅｔ  Ｐｒｏｔｏｃｏｌ）アドレスと電話番号とを変換することで、ＩＰ網と回線交換網とを接続している。
【００２６】
ＶｏＩＰ接続可能数は、ＷＡＮ回線の状態により、すべてが正常な場合からすべてが異常な場合まで、ＷＡＮ回線がＮ回線（Ｎは正の整数）あれば、２のＮ乗通りの組み合わせを持つ。
【００２７】
例えば、○が正常、×が障害時とし、ＷＡＮ回線が３回線であれば、（○、○、○）、（○、○、×）、（○、×、○）、（×、○、○）、（○、×、×）、（×、○、×）、（×、×、○）、（×、×、×）の８通りである。
【００２８】
ルータ装置から障害発生・復旧に利用されるプロトコルは、ＳＮＭＰ（Ｓｉｍｐｌｅ  Ｎｅｔｗｏｒｋ  Ｍａｎａｇｅｍｅｎｔ  Ｐｒｏｔｏｃｏｌ）のｔｒａｐデータ等が利用できる。また、あるいは本発明専用のアプリケーションデータ（障害発生・復旧ＷＡＮ回線識別子とそれらの障害発生復旧の区別を含む）によることも可能である。
【００２９】
図１は本発明の第１の実施の形態によるデータ通信システムの構成例を示すブロック図である。図１において、本発明の第１の実施の形態によるデータ通信システムは、ルータ１及びＶｏＩＰゲートウェイ２から構成されており、ルータ１にはＷＡＮ回線１０１，１０２が接続され、ルータ１とＶｏＩＰゲートウェイ２とはＬＡＮ回線１０３及び通知信号線１０４にて接続されている。
【００３０】
ルータ１とＶｏＩＰゲートウェイ２とは接続状態にあり、ＬＡＮ回線１０３を使用してＶｏＩＰデータ通信を行い、通知信号線１０４を使用してＷＡＮ回線障害発生を通知する。また、ルータ１は、複数のＷＡＮ回線を収容し、ＶｏＩＰゲートウェイ２は複数の電話機（図示せず）を収容する。尚、本実施の形態では、複数のＷＡＮ回線がＷＡＮ回線１０１及びＷＡＮ回線１０２の２回線である場合について説明する。
【００３１】
ルータ１は、複数のＷＡＮ回線を収容可能であり、帯域確保並びに負荷分散を行い、ＶｏＩＰゲートウェイ２を配下におく。ＶｏＩＰゲートウェイ２は、複数のＷＡＮ回線の状態に応じてＶｏＩＰ接続数を制御する。
【００３２】
ルータ１は、ＷＡＮ回線の状態を監視し、ＷＡＮ回線の障害発生を検知した場合、その旨をＶｏＩＰゲートウェイ２に通知する。また、ルータ１は、障害の復旧を検知した場合、その旨をＶｏＩＰゲートウェイ２に通知する。
【００３３】
図２は図１のＶｏＩＰゲートウェイ２の構成例を示すブロック図である。図２は、ＶｏＩＰゲートウェイ２におけるＶｏＩＰ接続可否を決める構成を示しており、ＶｏＩＰゲートウェイ２は、通知信号インタフェース部２１と、接続判定処理部２２と、設定データベース２３とを含んで構成されている。尚、ＶｏＩＰ接続に関する構成は公知であるので、その説明を省略する。
【００３４】
ＶｏＩＰゲートウェイ２は、ルータ１から入力するＶｏＩＰ接続可能数を、ＷＡＮの障害状態に応じて設定している。例えば、上記のように、ＷＡＮ回線障害未発生の場合は、ＶｏＩＰ同時接続数をｘ呼、ＷＡＮ回線障害発生の場合は、ＶｏＩＰ同時接続数をｙ呼というように状況に合わせた複数のＶｏＩＰ同時接続可能数を予め設定している。
【００３５】
ＶｏＩＰゲートウェイ２は、ＶｏＩＰの接続数を随時カウントし、ＶｏＩＰ接続可能数を超える場合、接続を制限する。また、ＶｏＩＰゲートウェイ２は、ＶｏＩＰ接続可能数を以下であれば、接続を可能とする。
【００３６】
通知信号インタフェース部２１では、ルータ１から受信した障害状態の最新状態を記録しており、接続判定処理部２２からの問い合わせにより送信する。接続判定処理部２２では、ＶｏＩＰデータをルータ１から受信し、接続数をカウントし、設定データベース２３に記録されているＶｏＩＰ接続可能数と比較し、ＶｏＩＰ接続数の制御をしている。接続判定処理部２２は、接続可能であれば、ＶｏＩＰデータを図示せぬＰＢＸや電話機に送信する。
【００３７】
接続判定処理部２２は、通知信号インタフェース部２１と設定データベース２３とに接続し、通知信号インタフェース部２１から得られるＷＡＮ回線障害発生情報と設定データベース２３から得られるＶｏＩＰ同時接続可能数情報及び接続判定処理部２２で管理しているＶｏＩＰ同時接続数情報とにより、新規発着呼をＶｏＩＰ接続するかを判定する。
【００３８】
尚、設定データベース２３に格納されたＶｏＩＰ同時接続可能数情報としては、ＷＡＮ回線障害が未発生状態のＶｏＩＰ同時接続可能数をｘ呼、ＷＡＮ回線１０１で障害発生状態のＶｏＩＰ同時接続可能数をｙ呼、ＷＡＮ回線１０２で障害発生状態のＶｏＩＰ同時接続可能数をｚ呼とする。
【００３９】
図３〜図５は図１のＶｏＩＰゲートウェイ２の動作例を示すフローチャートである。これら図１〜図５を参照してＶｏＩＰゲートウェイ２がＶｏＩＰ接続可否を判定する動作について説明する。
【００４０】
ＶｏＩＰゲートウェイ２にて新規発着呼によるＶｏＩＰ接続要求を検出した場合（図３ステップＳ１）、接続判定処理部２２は、通知信号インタフェース２１よりＷＡＮ回線障害発生情報を入手する（図３ステップＳ２）。
【００４１】
接続判定処理部２２は、ＷＡＮ回線障害発生情報がＷＡＮ回線障害未発生の場合（図３ステップＳ３）、設定データベース２３のＶｏＩＰ同時接続可能数情報より、現在のＶｏＩＰ同時接続可能数がｘ呼となる情報を入手する。
【００４２】
さらに、接続判定処理部２２は、現在管理しているＶｏＩＰ同時接続数情報がｘ呼未満であるかを判定し（ＶｏＩＰ同時接続数＜ｘ呼）（図３ステップＳ４）、ＶｏＩＰ同時接続数がｘ呼未満であれば（図３ステップＳ４のＹＥＳ）、新規発着呼のＶｏＩＰ接続を行い（図３ステップＳ５）、ｘ呼以上であれば（図３ステップＳ４のＮＯ）、新規発着呼をＶｏＩＰ接続しない制御とする（図３ステップＳ６）。
【００４３】
接続判定処理部２２は、ＷＡＮ回線障害発生情報がＷＡＮ回線１０１の障害発生の場合（図４ステップＳ７のＷＡＮ回線１０１）、設定データベース２３のＶｏＩＰ同時接続可能数情報より、現在のＶｏＩＰ同時接続可能数がｙ呼となる情報を入手する。
【００４４】
さらに、接続判定処理部２２は、現在管理しているＶｏＩＰ同時接続数情報がｙ呼未満であるかを判定し（ＶｏＩＰ同時接続数＜ｙ呼）（図４ステップＳ８）、ＶｏＩＰ同時接続数がｙ呼未満であれば（図４ステップＳ８のＹＥＳ）、新規発着呼のＶｏＩＰ接続を行い（図４ステップＳ９）、ｙ呼以上であれば（図４ステップＳ８のＮＯ）、新規発着呼をＶｏＩＰ接続しない制御とする（図４ステップＳ１０）。
【００４５】
接続判定処理部２２は、ＷＡＮ回線障害発生情報がＷＡＮ回線１０２の障害発生の場合（図４ステップＳ７のＷＡＮ回線１０２）、設定データベース２３のＶｏＩＰ同時接続可能数情報より、現在のＶｏＩＰ同時接続可能数がｚ呼となる情報を入手する。
【００４６】
さらに、接続判定処理部２２は、現在管理しているＶｏＩＰ同時接続数情報がｚ呼未満であるかを判定し（ＶｏＩＰ同時接続数＜ｚ呼）（図５ステップＳ１１）、ＶｏＩＰ同時接続数がｚ呼未満であれば（図５ステップＳ１１のＹＥＳ）、新規発着呼のＶｏＩＰ接続を行い（図５ステップＳ１２）、ｚ呼以上であれば（図５ステップＳ１１のＮＯ）、新規発着呼をＶｏＩＰ接続しない制御とする（図５ステップＳ１３）。
【００４７】
上記のように、本実施の形態では、ルータ１からの通知信号線１０４により通知されるＷＡＮ回線障害発生情報に基づきＶｏＩＰゲートウェイ２にてＶｏＩＰ同時接続可能数を決定することによって、ＷＡＮ回線障害発生時のＶｏＩＰの音声品質劣化の回避及びＷＡＮ回線障害未発生時の帯域の有効活用を実現することができる。
【００４８】
また、ＶｏＩＰデータが帯域を占有してしまい、ＶｏＩＰ以外のデータ通信ができなくなることがあるが、本実施の形態では、ＶｏＩＰデータの帯域占有を抑制することで、ＶｏＩＰ以外のデータ通信ができなくなることを回避することができる。
【００４９】
このように、本実施の形態では、ＷＡＮ回線障害状況に合わせてＶｏＩＰ同時接続可能数を設定し、新規発着呼に対してＶｏＩＰ同時接続可能数以上のＶｏＩＰ接続を行わない制御をすることによって、ＶｏＩＰの音声品質劣化を回避することができる。
【００５０】
また、本実施の形態では、ＷＡＮ回線障害発生情報に基づきＶｏＩＰ同時接続可能数を決定することによって、ＷＡＮ回線障害未発生時の帯域の有効活用を実現することができる。
【００５１】
さらに、本実施の形態では、ＷＡＮ回線障害発生情報に基づきＶｏＩＰ同時接続可能数を決定することによって、ＷＡＮ回線障害発生有無に関わらず、ＶｏＩＰデータの帯域占有を抑制することで、ＶｏＩＰ以外のデータ通信ができなくなることを回避することができる。
【００５２】
本発明の第２の実施の形態は、その基本的構造が上記の本発明の第１の実施の形態と同様であるが、上位のルータ１からのＷＡＮ回線障害発生情報の通知方法についてさらに工夫している。
【００５３】
図６は本発明の第２の実施の形態によるデータ通信システムの構成例を示すブロック図である。図６において、本発明の第２の実施の形態によるデータ通信システムでは、ルータ３とＶｏＩＰゲートウェイ４とがＬＡＮ回線１０３のみで接続し、ＬＡＮ回線１０３にＶｏＩＰデータ及びＷＡＮ回線障害発生情報を通す構成としている。
【００５４】
ＬＡＮ回線１０３を使用してＷＡＮ回線障害発生情報を通知する方法として、ルータ３からＶｏＩＰゲートウェイ４へＳＮＭＰのＴＲＡＰ（ＳＮＭＰエージェント側からＳＮＭＰマネージャへと異常を通知する仕組み）にて通知する。また、別の通知方法として、ＶｏＩＰゲートウェイ４からルータ３のＭＩＢ（Ｍａｎａｇｅｍｅｎｔ  Ｉｎｆｏｒｍａｔｉｏｎ  Ｂａｓｅ）取得によりＷＡＮ回線障害発生情報を通知する。
【００５５】
このように、本実施の形態では、上記の本発明の第１の実施例と同様の効果が得られるとともに、個別の通知信号線を用意することなく、ＷＡＮ回線の障害情報をＬＡＮ回線を使用して通知することが可能となる。
【００５６】
本発明の第３の実施の形態は、その基本的構造が上記の本発明の第１の実施の形態と同様であるが、ルータに複数のＶｏＩＰゲートウェイが接続する構成におけるＶｏＩＰ同時接続数の管理方法についてさらに工夫している。
【００５７】
図７は本発明の第３の実施の形態によるデータ通信システムの構成例を示すブロック図である。図７において、本発明の第３の実施の形態によるデータ通信システムでは、ルータ３とＶｏＩＰゲートウェイ５とＶｏＩＰゲートウェイ６とをＬＡＮ回線１０３で接続し、ＬＡＮ回線１０３にＶｏＩＰデータ及びＷＡＮ回線障害発生情報以外に、ＶｏＩＰゲートウェイ５とＶｏＩＰゲートウェイ６との間で通信する接続制御情報を通す構成としている。
【００５８】
複数のＶｏＩＰゲートウェイ５，６を使用してＷＡＮ回線帯域状況に合わせたＶｏＩＰ同時接続数を管理するためには、１台のＶｏＩＰゲートウェイをマスタとして全体のＶｏＩＰ同時接続数を管理する。図７においては、ＶｏＩＰゲートウェイ５をマスタとする。
【００５９】
ＶｏＩＰゲートウェイ５にて新規発着呼によるＶｏＩＰ接続要求を検出した場合の動作については、上記の本発明の第１の実施の形態で説明したとおりであり、ＶｏＩＰ同時接続数管理はＶｏＩＰ接続時に１呼加算またＶｏＩＰ接続解除時に１呼減算とする。
【００６０】
ＶｏＩＰゲートウェイ６にて新規発着呼によるＶｏＩＰ要求を検出した場合は、ＶｏＩＰゲートウェイ６がマスタであるＶｏＩＰゲートウェイ５にＶｏＩＰ接続許可を要求する。ＶｏＩＰ接続可否を判定する動作は、上記の本発明の第１の実施の形態で説明したとおりであり、ＶｏＩＰゲートウェイ５は、ＶｏＩＰ接続可の場合、ＶｏＩＰゲートウェイ６にＶｏＩＰ接続許可を通知してＶｏＩＰ同時接続管理は１呼加算し、ＶｏＩＰ接続不可の場合はＶｏＩＰゲートウェイ６にＶｏＩＰ接続禁止を通知する。
【００６１】
また、ＶｏＩＰゲートウェイ６は、ＶｏＩＰ接続が解除されたことを検出すると、マスタであるＶｏＩＰゲートウェイ５にＶｏＩＰ接続解除を通知し、ＶｏＩＰゲートウェイ５は、ＶｏＩＰ同時接続管理を１呼減算する。
【００６２】
このように、本実施の形態では、上記の本発明の第１の実施例と同様の効果が得られるとともに、複数のＶｏＩＰゲートウェイを使用した構成においても、ＶｏＩＰ同時接続数の管理が可能になるという効果が得られる。
【００６３】
本発明の第４の実施の形態は、その基本的構造が上記の本発明の第１の実施の形態と同様であるが、ＶｏＩＰゲートウェイに電話回線を接続する構成におけるＶｏＩＰ接続不可の場合の代替接続方法についてさらに工夫している。
【００６４】
図８は本発明の第４の実施の形態によるデータ通信システムの構成例を示すブロック図である。図８において、本発明の第４の実施の形態によるデータ通信システムでは、ルータ７とＶｏＩＰゲートウェイ８とをＬＡＮ回線１０３で接続し、さらにＶｏＩＰゲートウェイ８は電話回線１０５と接続して一般の電話サービスを利用することができる構成としている。
【００６５】
ＶｏＩＰゲートウェイ８にて新規発呼によるＶｏＩＰ接続要求を検出した場合の動作については、上記の本発明の第１の実施の形態で説明したとおりであり、ＶｏＩＰゲートウェイ８はＶｏＩＰ同時接続可能数超過によりＶｏＩＰ接続不可となった場合に電話回線１０５を使用して一般の電話サービスとして発呼する。
【００６６】
このように、本実施の形態では、上記の本発明の第１の実施例と同様の効果が得られるとともに、一般の電話サービスを利用することができる構成とすることにより、新規発呼の接続率が向上するという効果が得られる。
【００６７】
本発明は、障害発声・復旧の通知方法として、障害通知用の専用線（通知信号線）を介する方法に加え、ＶｏＩＰデータの授受に利用するＬＡＮ回線を利用する方法がある。
【００６８】
また、本発明は、ＶｏＩＰ接続可能数が閾値を超えた場合、臨時回線として、図８に示すように、電話回線を利用することもできる。
【００６９】
さらに、本発明は、図７に示すように、ネットワーク構成を複数のＶｏＩＰゲートウェイにより実現し、マスタのＶｏＩＰゲートウェイを１装置設置して、他のＶｏＩＰゲートウェイと連携することで、系全体のＶｏＩＰの接続数をカウントし、ＶｏＩＰの接続を制御することもできる。
【産業上の利用可能性】
【００７０】
本発明は、複数のＷＡＮ回線を使用して帯域確保及び負荷分散を行うルータを上位に位置付けたデータ通信システムに用いるＶｏＩＰゲートウェイに適用することができる。
【図面の簡単な説明】
【００７１】
【図１】本発明の第１の実施の形態によるデータ通信システムの構成例を示すブロック図である。
【図２】図１のＶｏＩＰゲートウェイの構成例を示すブロック図である。
【図３】図１のＶｏＩＰゲートウェイの動作例を示すフローチャートである。
【図４】図１のＶｏＩＰゲートウェイの動作例を示すフローチャートである。
【図５】図１のＶｏＩＰゲートウェイの動作例を示すフローチャートである。
【図６】本発明の第２の実施の形態によるデータ通信システムの構成例を示すブロック図である。
【図７】本発明の第３の実施の形態によるデータ通信システムの構成例を示すブロック図である。
【図８】本発明の第４の実施の形態によるデータ通信システムの構成例を示すブロック図である。
【符号の説明】
【００７２】
１，３，７  ルータ
２，４，５，６，８  ＶｏＩＰゲートウェイ
２１  通知信号インタフェース部
２２  接続判定処理部
２３  設定データベース
１０１，１０２  ＷＡＮ回線
１０３  ＬＡＮ回線
１０４  通知信号線
１０５  電話回線
【図１】
2010141449.tif 000003
【図２】
2010141449.tif 000004
【図３】
2010141449.tif 000005
【図４】
2010141449.tif 000006
【図５】
2010141449.tif 000007
【図６】
2010141449.tif 000008
【図７】
2010141449.tif 000009
【図８】
2010141449.tif 000010